【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
拡大側結像面と中間像とを共役にする正の屈折力を有する第１光学系と、前記中間像と縮小側結像面とを共役にする正の屈折力を有する第２光学系とからなり、
前記第１光学系の焦点距離をｆＦ、前記第２光学系の焦点距離をｆＲとするとき、
０．０＜ｆＦ／ｆＲ＜０．８
を満足し、
前記第２光学系の最も拡大側に位置するレンズが負レンズであることを特徴とする結像光学系。
【請求項２】
前記負レンズの焦点距離をｆ１、前記第２光学系の焦点距離をｆＲとするとき、
−５．００＜ｆ１／ｆＲ＜−０．０５
を満足することを特徴とする請求項１に記載の結像光学系。
【請求項３】
前記負レンズの焦点距離をｆ１、前記第１光学系と前記第２光学系からなる全系の焦点距離をｆとするとき、
−２０．０＜ｆ１／｜ｆ｜＜０．０
を満足することを特徴とする請求項１又は２に記載の結像光学系。
【請求項４】
前記負レンズの焦点距離をｆ１、前記第１光学系の焦点距離をｆＦとするとき、
−１２．０＜ｆ１／ｆＦ＜０．０
を満足することを特徴とする請求項１乃至３いずれか一項に記載の結像光学系。
【請求項５】
前記負レンズの拡大側の面は縮小側に凸形状であり、
前記負レンズの拡大側の面の曲率半径をｒ、前記第１光学系と前記第２光学系からなる全系の焦点距離をｆとするとき、
−３．０＜ｒ／｜ｆ｜＜−０．１
を満足することを特徴とする請求項１乃至４いずれか一項に記載の結像光学系。
【請求項６】
前記負レンズの拡大側の面は縮小側に凸形状であり、
前記負レンズの拡大側の面の曲率半径をｒ、前記負レンズの屈折率をｎ、前記第２光学系において最も大きい面間隔を挟んで拡大側に配置されたレンズあるいはレンズ群の焦点距離をｆＲ１とするとき、
−１．５＜ｒ／｛ｆＲ１（ｎ−１）｝＜−０．５
を満足することを特徴とする請求項１乃至５いずれか一項に記載の結像光学系。
【請求項７】
前記第２光学系の一部をフォーカス群として移動させることで合焦を行うことを特徴とする請求項１乃至６いずれか一項に記載の結像光学系。
【請求項８】
前記フォーカス群の焦点距離をｆｆｏ、前記第１光学系と前記第２光学系からなる全系の焦点距離をｆとするとき、
１＜｜ｆｆｏ／｜ｆ｜｜＜２００
を満足することを特徴とする請求項７に記載の結像光学系。
【請求項９】
前記フォーカス群は、前記第２光学系の最も小さい径のレンズを含むことを特徴とする請求項７又は８に記載の結像光学系。
【請求項１０】
前記フォーカス群は、無限遠から至近への合焦に際して、縮小側から拡大側に移動することを特徴とする請求項７乃至９いずれか一項に記載の結像光学系。
【請求項１１】
ズーミングのために、前記第１光学系と前記第２光学系の各々で、少なくとも１つのレンズが移動することを特徴とする請求項１乃至１０いずれか一項に記載の結像光学系。
【請求項１２】
前記負レンズには収束光が入射することを特徴とする請求項１乃至１１いずれか一項に記載の結像光学系。
【請求項１３】
前記負レンズの縮小側に正レンズを有し、
前記負レンズと隣り合う位置に前記正レンズが配置されることを特徴とする請求項１乃至１２いずれか一項に記載の結像光学系。
【請求項１４】
前記正レンズは、縮小側に凸形状を有するメニスカスレンズであることを特徴とする請求項１３に記載の結像光学系。
【請求項１５】
前記負レンズの焦点距離をｆ１、前記正レンズの焦点距離をｆ２とするとき、
−１．００＜ｆ１／ｆ２＜−０．０５
を満足することを特徴とする請求項１３または１４に記載の結像光学系。
【請求項１６】
前記結像光学系は、光変調素子からの光を被投射面に投射することにより、画像を投射する投射光学系であることを特徴とする請求項１乃至１５いずれか一項に記載の結像光学系。
【請求項１７】
光変調素子と、
請求項１６に記載の結像光学系を有することを特徴とする投射型画像表示装置。
【請求項１８】
前記投射光学系は、投射画像を移動させるため、該投射光学系の光軸に垂直な方向の成分を持つ方向に移動させることが可能であり、
前記投射光学系の移動方向は、前記投射された画像の移動方向とは反対の方向であることを特徴とする請求項１７に記載の投射型画像表示装置。
【請求項１９】
前記結像光学系は、物体からの光を撮像素子に結像する撮像光学系であることを特徴とする請求項１乃至１５のいずれか一項に記載の結像光学系。
【請求項２０】
撮像素子と、
請求項１９に記載の結像光学系を有することを特徴とする撮像装置。
【手続補正２】
【補正対象書類名】明細書
【補正対象項目名】００１２
【補正方法】変更
【補正の内容】
【００１２】
上記課題を解決するために、本発明の結像光学系は、
拡大側結像面と中間像を共役にする正の屈折力を有する第１光学系と、前記中間像と縮小側結像面を共役にする正の屈折力を有する第２光学系とからなり、
前記第１光学系の焦点距離をｆＦ、前記第２光学系の焦点距離をｆＲとするとき、
０．０＜ｆＦ／ｆＲ＜０．８
を満足し、
前記第２光学系の最も拡大側に位置するレンズが負レンズであることを特徴とする。
【手続補正３】
【補正対象書類名】明細書
【補正対象項目名】００３０
【補正方法】変更
【補正の内容】
【００３０】
また、本実施例の広角レンズは、第１レンズユニット１の焦点距離をｆＦ、第２レンズユニット２の焦点距離をｆＲとするとき、
０．０＜ｆＦ／ｆＲ＜０．８      ・・・（Ａ１）
を満足する。
【手続補正４】
【補正対象書類名】明細書
【補正対象項目名】００３１
【補正方法】変更
【補正の内容】
【００３１】
より好ましくは、条件式（Ａ１）に代えて、
０．０＜ｆＦ／ｆＲ＜０．５      ・・・（Ａ２）
を満足するとよい。
【手続補正５】
【補正対象書類名】明細書
【補正対象項目名】００３２
【補正方法】変更
【補正の内容】
【００３２】
ここで、上記第１屈折面ｓｆは、下式のいずれかを満足するのが好ましい。
−５．００＜ｆ１／ｆＲ＜−０．０５                    ・・・（１ａ）
−２０．０＜ｆ１／｜ｆ｜＜０．０                      ・・・（２ａ）
−１２．０＜ｆ１／ｆＦ＜０．０                        ・・・（３ａ）
−３．０＜ｒ／｜ｆ｜＜−０．１                        ・・・（４ａ）
−１．５＜ｒ／｛ｆＲ１（ｎ−１）｝＜−０．５          ・・・（５ａ）
【手続補正６】
【補正対象書類名】明細書
【補正対象項目名】００３９
【補正方法】変更
【補正の内容】
【００３９】
上記式１ａ〜式５ａに代えて、下式のいずれかを満足することが好ましい。
−３．００＜ｆ１／ｆＲ＜−０．１０                    ・・・（１ｂ）
−１０．０＜ｆ１／｜ｆ｜＜−１．０                    ・・・（２ｂ）
−９．０＜ｆ１／ｆＦ＜−２．０                        ・・・（３ｂ）
−２．０＜ｒ／｜ｆ｜＜−０．５                        ・・・（４ｂ）
−１．４＜ｒ／｛ｆＲ１（ｎ−１）｝＜−０．６          ・・・（５ｂ）
各実施例における上記数値の値は、条件式数値表にまとめて記載した。
【手続補正７】
【補正対象書類名】明細書
【補正対象項目名】００４２
【補正方法】変更
【補正の内容】
【００４２】
さらに好ましくは、特に広角度合いの大きい結像レンズにおいて（実施例１から実施例３）、屈折面ｓｆを有する負レンズＬ１１の焦点距離をｆ１、正レンズＬ１２の焦点距離をｆ２とするとき、式６ａを満足するのがよい。
−１．００＜ｆ１／ｆ２＜−０．０５      ・・・（６ａ）
【手続補正８】
【補正対象書類名】明細書
【補正対象項目名】００４３
【補正方法】変更
【補正の内容】
【００４３】
さらに好ましくは式６ａに代えて、式６ｂを満足するのがよい。
−０．８０＜ｆ１／ｆ２＜−０．１０      ・・・（６ｂ）